(57)【要約】【課題】より遊技者の注意を喚起しやすい呼出表示装置を得る。【解決手段】呼出スイッチ２２の操作に応じて点灯する発光体１８と、入力される情報に基づいて情報を表示する表示盤２４とを備え、設置島に配列された各遊技台５８毎に設けられる。表示盤２４の表面を、透明性を有すると共に光源からの光を拡散する面発光板３４で覆い、面発光板３４の縁側に光源を配置した。光源は発光ダイオード３６，３８で、発光ダイオード３６，３８を取り付けた回路基板４０，４２を表示盤２４の表示基板２６に立設した。遊技台５８からの大当り情報等により、発光ダイオード３６，３８を発光させると、面発光板３４が面発光する。【選択図】  図３
2007236601.tif 000002
【特許請求の範囲】
【請求項１】
呼出スイッチの操作に応じて点灯する発光体と、入力される情報に基づいて前記情報を表示する表示盤とを備え、設置島に配列された各遊技台毎に設けられる呼出表示装置において、
前記表示盤の表面を、透明性を有すると共に光源からの光を拡散する面発光板で覆い、該面発光板の縁側に前記光源を配置したことを特徴とする呼出表示装置。
【請求項２】
前記光源は発光ダイオードで、該発光ダイオードを取り付けた回路基板を前記表示盤の表示基板に立設したことを特徴とする請求項１に記載の呼出表示装置。
【請求項３】
前記光源は発光ダイオードで、該発光ダイオードを前記表示盤の表示基板に取り付けると共に、前記面発光板の端面を斜めにして傾斜面を形成し、該傾斜面に前記発光ダイオードからの光を導いたことを特徴とする請求項１に記載の呼出表示装置。
【発明の詳細な説明】
【技術分野】
【０００１】
本発明は、設置島に配列された各遊技台毎に設けられる呼出表示装置に関する。
【背景技術】
【０００２】
従来より、遊技場では、パチンコ台やスロットルマシン等の遊技台が多数配列されて設置島が形成されている。各遊技台の上側には、特許文献１にあるように、呼出表示装置が設けられ、呼出表示装置には、呼出スイッチによって点灯される発光体が設けられている。また、呼出表示装置には、遊技台の作動状況、例えば、大当り回数が何回か、確率変動回数が何回かというような情報を表示する表示盤も設けられている。
【特許文献１】特開２００５−３２３８５０号公報
【発明の開示】
【発明が解決しようとする課題】
【０００３】
しかしながら、こうした従来のものでは、大きな表示盤が呼出表示装置の中央に配置され、表示盤の両側に発光体が配置されているので、遊技場のイベントや大当りの演出の際に、発光体を点滅させても、大きな表示盤が呼出表示装置の中央にあるので、遊技者の注意を喚起し難いという問題があった。
【０００４】
本発明の課題は、より遊技者の注意を喚起しやすい呼出表示装置を提供することにある。
【課題を解決するための手段】
【０００５】
かかる課題を達成すべく、本発明は課題を解決するため次の手段を取った。即ち、
呼出スイッチの操作に応じて点灯する発光体と、入力される情報に基づいて前記情報を表示する表示盤とを備え、設置島に配列された各遊技台毎に設けられる呼出表示装置において、
前記表示盤の表面を、透明性を有すると共に光源からの光を拡散する面発光板で覆い、該面発光板の縁側に前記光源を配置したことを特徴とする呼出表示装置がそれである。
【０００６】
その際、前記光源は発光ダイオードで、該発光ダイオードを取り付けた回路基板を前記表示盤の表示基板に立設した構成としてもよい。あるいは、前記光源は発光ダイオードで、該発光ダイオードを前記表示盤の表示基板に取り付けると共に、前記面発光板の端面を斜めにして傾斜面を形成し、該傾斜面に前記発光ダイオードからの光を導いた構成としてもよい。
【発明の効果】
【０００７】
本発明の呼出表示装置は、面発光板が発光するので、より遊技者の注意を喚起しやすいという効果を奏する。また、発光ダイオードを取り付けた回路基板を表示盤の表示基板に立設した構成とすることにより、大型化することなく面発光板を発光させることができる。あるいは、発光ダイオードを表示盤の表示基板に取り付けると共に、面発光板の端面を斜めにして傾斜面を形成し、傾斜面に発光ダイオードからの光を導いた構成とすることにより、大型化することなく面発光板を発光させることができる。
【発明を実施するための最良の形態】
【０００８】
以下本発明を実施するための最良の形態を図面に基づいて詳細に説明する。
図１に示すように、１は呼出表示装置で、呼出表示装置１にはその両側にランプ部２，４が設けられると共に、中央には表示部６が設けられている。
【０００９】
また、呼出表示装置１は、本体ケース８を本体カバー１０で覆って形成されている。本体カバー１０には、ランプ部２，４に対応して、光拡散カバー部１２，１４が設けられており、中央には表示部６に対応して、表示窓１６があけられている。
【００１０】
ランプ部２，４に対応して、本体ケース８上には、発光体１８（図４参照）が配置されている。また、本体カバー１０には、呼出ボタン２０が配置されており、呼出ボタン２０の操作により操作される呼出スイッチ２２（図４参照）が本体ケース８に設けられている。
【００１１】
図２、図３に示すように、本体ケース８上には、表示部６に対応して、表示盤２４が配置されている。表示盤２４は本体ケース８に支持された表示基板２６と、表示基板２６に取り付けられた発光モジュール２８とを備えている。
【００１２】
表示盤２４は、数値や文字等による情報を表示するもので、本実施形態では、「最終大当りからのスタート回数」を４桁の数値で、本日及び１日前及び２日前の「大当り」と「確変」とのそれぞれ回数をそれぞれ２桁の数値で表示するように構成されている。数値を複数のセグメントに分割して、セグメント毎に赤色、青色、緑色の発光体３０（図４参照）を発光させて、数値をカラーで表示できるように構成されている。尚、数値はセグメントにより表示するものに限らず、ドットを格子状に並べたものでもよい。また、表示盤２４が液晶により数字や文字等を表示するように構成されたものでもよく、あるいは、液晶による表示と発光体３０による表示とを組み合わせたものでもよい。
【００１３】
表示窓１６には、スモークレンズ３２が取り付けられており、スモークレンズ３２を通して、表示盤２４に表示される情報を認識できるように構成されている。更に、スモークレンズ３２と表示盤２４との間には、面発光板３４が設けられている。尚、スモークレンズ３２は必要に応じて設ければよく、スモークレンズ３２は設けなくても実施可能であり、また、表示盤２４と面発光板３４との間に、スモークフィルム等を配置してもよい。
【００１４】
面発光板３４は、表示盤２４の表面を覆って設けられており、面発光板３４は透明性を有すると共に、光源からの光を拡散する機能を有するものである。面発光板３４としては、例えば、透明な樹脂板（アクリル板等）中に多数の微小空孔を形成したもの（旭化成ケミカルズ株式会社、デラグラスＡＬ９９５（商標））、あるいは、透明な樹脂板（アクリル板等）中に光拡散性微粒子を分散させたもの（株式会社きもと、パネビー（商標））等が知られている。
【００１５】
面発光板３４の縁側の両側には、光源としての複数の赤色、青色、緑色の各発光ダイオード３６，３８が設けられており、発光ダイオード３６，３８により発せられた光が、面発光板３４の側面から面発光板３４内に取り込まれる、いわゆる、エッジライト式として構成されている。発光ダイオード３６，３８は、回路基板４０，４２に取り付けられており、回路基板４０，４２は、表示基板２６に立設されて取り付けられている。
【００１６】
発光ダイオード３６，３８を取り付けた回路基板４０，４２を、表示基板２６に立設することにより、大型化することなく面発光板３４を表示盤２４の表面に設けることができる。また、面発光板３４の取付が容易になる。
【００１７】
図４に示すように、前述したランプ部２，４の発光体１８はランプ駆動回路５２に接続されており、表示盤２４の発光体３０は表示駆動回路５４に接続されている。また、発光ダイオード３６，３８は面発光駆動回路５６に接続されており、ＣＰＵ５０からの駆動信号に応じて、発光体１８，３０、発光ダイオード３６，３８が駆動される。
【００１８】
ＣＰＵ５０には、遊技台５８からの大当り信号や確変信号等の情報やホールコンピュータ６２からの情報が入力回路６０を介して入力されると共に、呼出スイッチ２２からの信号が入力される。また、ＣＰＵ５０は、メモリ６４に記憶されたプログラムやデータ等に基づいて、ランプ駆動回路５２を介して発光体１８を駆動制御すると共に、表示駆動回路５４を介して発光体３０を駆動制御し、また、面発光駆動回路５６を介して発光ダイオード３６，３８を駆動制御するように構成されている。
【００１９】
次に、前述したＣＰＵ５０において行われる大当り表示処理について、図５に示すフローチャートによって説明する。
まず、大当り発生か否かを、遊技台５８からの大当り信号に基づいて判断する（ステップ１００）。大当りが発生していないときには、待機する。発光ダイオード３６，３８が発光していないときには、面発光板３４は、透明であることから、表示盤２４に表示される情報、例えば、本日及び１日前及び２日前の「大当り」、「確変」等の情報が面発光板３４、スモークレンズ３２を通して、支障なく認識される。
【００２０】
そして、大当りが発生したときには、大当り回数に１を加算してから（ステップ１１０）、大当り回数が１０を超えたか否かを判断する（ステップ１２０）。１０を超えていないときには、表示駆動回路５４を介して、表示盤２４の発光体３０を駆動制御し、大当り回数を青色で表示する（ステップ１３０）。また、ランプ駆動回路５２を介して、発光体１８を駆動制御し、青色に発光させる（ステップ１４０）と共に、面発光駆動回路５６を介して、発光ダイオード３６，３８を駆動制御し、青色に発光させる（ステップ１５０）。尚、青色に点滅発光させてもよい。
【００２１】
これにより、表示盤２４の数字等の情報が青色で表示されると共に、ランプ部２，４が青色で発光される。更に、発光ダイオード３６，３８の発光により、青色の光が面発光板３４の縁側から取り込まれ、面発光板３４内で青色の光が拡散される。これにより、面発光板３４の全面が青色に発光し、発光ダイオード３６，３８の発光により、面発光板３４の全面が青色に発光する。
【００２２】
よって、呼出表示装置１の正面のほぼ全面が青色に発光し、呼出表示装置１の大きさ一杯に発光するので、遠くからでも容易に認識することができ、イルミネーション効果を得ることができ、遊技者の注意を大いに喚起することができる。尚、表示盤２４、ランプ部２，４、面発光板３４を全て青色で発光させたが、これに限らず、例えば、表示盤２４の数字を赤色、ランプ部２，４を緑色、面発光板３４を青色等にそれぞれの色を変えて発光するようにしてもよい。
【００２３】
そして、本処理を繰り返し実行して、ステップ１１０の処理により算出される大当り回数が１０を超えて、２０未満となったときには（ステップ１２０，１６０）、表示駆動回路５４を介して、表示盤２４の発光体３０を駆動制御し、大当り回数を緑色で表示する（ステップ１７０）。また、ランプ駆動回路５２を介して、発光体１８を駆動制御し、緑色に発光させる（ステップ１８０）と共に、面発光駆動回路５６を介して、発光ダイオード３６，３８を駆動制御し、緑色に発光させる（ステップ１９０）。尚、緑色に点滅発光させてもよい。
【００２４】
更に、本処理を繰り返し実行して、ステップ１１０の処理により算出される大当り回数が２０を超えたときには（ステップ１２０，１６０）、表示駆動回路５４を介して、表示盤２４の発光体３０を駆動制御し、大当り回数を赤色で表示する（ステップ２００）。また、ランプ駆動回路５２を介して、発光体１８を駆動制御し、赤色に発光させる（ステップ２１０）と共に、面発光駆動回路５６を介して、発光ダイオード３６，３８を駆動制御し、赤色に発光させる（ステップ２２０）。尚、赤色に点滅発光させてもよい。
【００２５】
数値の大小が変化するに従って色相が変化するので、遊技者が遠くから近づく場合、遠くからは色でおおよその回数を認識し、近づくに従って同じ視点で数値を確認できるので非常に判りやすい。色相が変化するので、イルミネーション効果を得ることもできる。尚、本実施形態では、大当り回数を表示したが、大当り回数に変えて、スタート回数や遊技媒体の獲得数でもよい。
【００２６】
一方、単色で発光させる場合に限らず、例えば、表示盤２４の数字等の情報の表示を青色・緑色・赤色の順に変化させたり、ランプ部２，４の発光を緑色・赤色・青色の順に変化させたり、面発光板３４の発光を赤色・青色・緑色に変化させてもよい。
【００２７】
また、呼出ボタン２０が押されて、呼出スイッチ２２が操作されたときには、ランプ駆動回路５２を介して、発光体１８を駆動制御し、白色等で点滅発光させる。その際、面発光駆動回路５６を介して、発光ダイオード３６，３８を駆動制御し、面発光板３４を白色等で発光させるようにしてもよい。更に、ホールコンピュータ６２からの情報に基づいて、面発光駆動回路５６を介して、発光ダイオード３６，３８を駆動制御し、面発光板３４を白色等で発光させるようにしてもよい。
【００２８】
次に、前述した実施形態と異なる第２実施形態について、図６、図７によって説明する。尚、前述した実施形態と同じ部材については、同一番号を付して詳細な説明を省略する。
【００２９】
本第２実施形態では、面発光板３４の縁側で、かつ、表示基板２６上に光源としての発光ダイオード３６，３８が取り付けられている。面発光板３４の面端は斜めにされて、傾斜面３４ａ，３４ｂとして形成されており、発光ダイオード３６，３８からの光が、導光板４４，４６を介して、傾斜面３４ａ，３４ｂから面発光板３４に取り込まれるように構成されている。その際、導光板４４，４６の外側を遮光カバー４８，４９で覆うようにする。
【００３０】
この第２実施形態の場合でも、発光ダイオード３６，３８が発光すると、発光ダイオード３６，３８からの光が、導光板４４，４６を介して、傾斜面３４ａ，３４ｂから面発光板３４に取り込まれる。よって、面発光板３４内で光が拡散され、光が青色である場合には、面発光板３４の全面が青色に発光する。
【００３１】
発光ダイオード３６，３８を表示基板２６に設け、導光板４４，４６を介して、面発光板３４に光を取り込むようにすることにより、大型化することなく面発光板３４を表示盤２４の表面に設けることができる。また、面発光板３４の取付が容易になる。
【００３２】
以上本発明はこの様な実施形態に何等限定されるものではなく、本発明の要旨を逸脱しない範囲において種々なる態様で実施し得る。
【図面の簡単な説明】
【００３３】
【図１】本発明の一実施形態としての呼出表示装置の正面図である。
【図２】本実施形態の本体カバーを取り除いた表示部の正面図である。
【図３】本実施形態の本体カバーを取り除いた表示部の平面図である。
【図４】本実施形態の電気系統を示すブロック図である。
【図５】本実施形態のＣＰＵで行われる大当り表示処理の一例を示すフローチャートである。
【図６】第２実施形態の本体カバーを取り除いた表示部の正面図である。
【図７】第２実施形態の本体カバーを取り除いた表示部の平面図である。
【符号の説明】
【００３４】
１…呼出表示装置    ２，４…ランプ部
６…表示部          ８…本体ケース
１０…本体カバー    １２，１４…光拡散カバー部
１６…表示窓        １８，３０…発光体
２２…呼出スイッチ  ２４…表示盤
２６…表示基板      ２８…発光モジュール
３２…スモークレンズ
３４…面発光板      ３４ａ，３４ｂ…傾斜面
３６，３８…発光ダイオード
４０，４２…回路基板
４４，４６…導光板
４８，４９…遮光カバー
【図１】
2007236601.tif 000003
【図２】
2007236601.tif 000004
【図３】
2007236601.tif 000005
【図４】
2007236601.tif 000006
【図５】
2007236601.tif 000007
【図６】
2007236601.tif 000008
【図７】
2007236601.tif 000009